(57)【要約】【課題】水から保護しつつ電源プラグの接続を容易としたレセプタクルを備えたものとする。【解決手段】カウンター１と、カウンター１の前面下方に配された配線用差込接続器であるレセプタクルユニット２とを備える。レセプタクルユニット２は、上端側が軸で支持されることで上下に回動自在であり且つ閉じた状態で電源プラグが差し込み接続されるレセプタクル本体２２の前面側を覆う開閉カバー２５を備える。また、開閉カバー２５がレセプタクル本体を覆う閉じた位置とレセプタクル本体を露出させる開いた位置との少なくとも２位置で上記開閉カバーを停止させる停止機構を備える。【選択図】図５
2015196013.tif 000002
【特許請求の範囲】
【請求項１】
カウンターと、カウンターの前面下方に配された配線用差込接続器であるレセプタクルユニットとを備えた厨房装置であり、上記レセプタクルユニットは、上端側が軸で支持されることで上下に回動自在であり且つ閉じた状態で電源プラグが差し込み接続されるレセプタクル本体の前面側を覆う開閉カバーと、この開閉カバーがレセプタクル本体を覆う閉じた位置とレセプタクル本体を露出させる開いた位置との少なくとも２位置で上記開閉カバーを停止させる停止機構とを備えていることを特徴とする厨房装置。
【請求項２】
左右に細長いものとして形成されている上記開閉カバーはその裏面側に、左右方向において間隔をおいて設けられた複数の補強用縦リブを備えていることを特徴とする請求項１記載の厨房装置。
【請求項３】
上記停止機構は、開閉カバーの開閉動作に伴って開閉カバーに対する付勢方向を反転させるばねであることを特徴とする請求項１または２記載の厨房装置。
【請求項４】
上記停止機構は、ばね付勢されて開閉カバーに接するプレートであり、上記プレートは開閉カバーの開閉動作に伴って開閉カバーが備える複数の平坦面に選択的に接するものであることを特徴とする請求項１または２記載の厨房装置。
【発明の詳細な説明】
【技術分野】
【０００１】
本発明は、本発明は厨房装置、殊にカウンターを有するとともに配線用差込接続器であるレセプタクルを備えている厨房装置に関するものである。
【背景技術】
【０００２】
キッチンシンクや加熱調理器具や調理台が表面に配されたカウンターを有する厨房装置に配線用差込接続器であるレセプタクルを設置すると、ハンドミキサー等の可搬式の調理器具の使用の便を図ることができる。特に、厨房装置の前面でカウンターの直下部分に設置すると、可搬式調理器具の電源コードがカウンターの表面上を横切ったりすることがないために、使い勝手に優れたものとなる。
【０００３】
しかし、上記位置にレセプタクルを配した場合、レセプタクルに水がかかる虞が高くなるために、特許文献１に示されているようなカバーを設けて、レセプタクルを開閉カバーで覆わなくてはならない。しかし、上下に回動する開閉カバーを設けて、上方へ回動させることでレセプタクルに電源プラグを差し込むには、片手で開閉カバーを開けた状態に保持しておかなくてはならない。
【先行技術文献】
【特許文献】
【０００４】
【特許文献１】実開昭６４−４４５７８号公報
【発明の概要】
【発明が解決しようとする課題】
【０００５】
本発明は上記問題に鑑みてなされたもので、水から保護しつつ電源プラグの接続を容易としたレセプタクルを備えている厨房装置を提供することを課題とする。
【課題を解決するための手段】
【０００６】
本発明にかかる厨房装置は、カウンターと、カウンターの前面下方に配された配線用差込接続器であるレセプタクルユニットとを備えており、更に、上記レセプタクルユニットは、上端側が軸で支持されることで上下に回動自在であり且つ閉じた状態で電源プラグが差し込み接続されるレセプタクル本体の前面側を覆う開閉カバーと、この開閉カバーがレセプタクル本体を覆う閉じた位置とレセプタクル本体を露出させる開いた位置との少なくとも２位置で上記開閉カバーを停止させる停止機構とを備えていることに特徴を有している。
【０００７】
この時、左右に細長いものとして形成されている上記開閉カバーは、その裏面側に、左右方向において間隔をおいて設けられた複数の補強用縦リブを備えていることが好ましい。
【０００８】
また、上記停止機構は、開閉カバーの開閉動作に伴って開閉カバーに対する付勢方向を反転させるばねであることが好ましい。
【０００９】
上記停止機構は、ばね付勢されて開閉カバーに接するプレートであり、上記プレートは開閉カバーの開閉動作に伴って開閉カバーが備える複数の平坦面に選択的に接するものであってもよい。
【発明の効果】
【００１０】
本発明によれば、カウンターの前面下方にレセプタクルユニットがあるために使い勝手が良い上に、開閉カバーがあるために、水がレセプタクルにかかる虞がなく、しかも開閉カバーは閉じた状態に加えて開いた状態でも保持されることから、電源プラグの接続を簡便に行うことができる。
【図面の簡単な説明】
【００１１】
【図１】本発明の実施の一例の斜視図である。
【図２】同上の破断斜視図である。
【図３】同上の開閉カバーを開いた状態の破断斜視図である。
【図４】同上の前面カバーを外した状態の斜視図である。
【図５】同上の前面カバーを外した状態の斜視図である。
【図６】他の実施例の破断斜視図である。
【図７】同上の破断斜視図である。
【発明を実施するための形態】
【００１２】
以下、本発明を図示実施例に基づいて詳述すると、図１は複数の引き出し式収納部５０や組み込み型の食器洗浄機７等を備えたキャビネット５の上面にカウンター１を配した厨房装置を示している。図示例のカウンター１には、シンク１１が一体に設けられているとともに、加熱調理器具６が埋め込みで配設されている。
【００１３】
本例においては、可搬式電動調理器具などに電源を供給するためのレセプタクルユニット２を、キャビネット５の前面上部にある幕板１３とカウンター１の前端下面との間に配している。図中１４は飾り部材である。
【００１４】
レセプタクルユニット２は、図２及び図３に示すように、上下回動によって開閉自在な開閉カバー２５を前面に備えており、開閉カバー２５を上方に回動させて開いた時、図３に示すように電源プラグ３をレセプタクル本体２２に接続することができる。
【００１５】
また、レセプタクルユニット２は、図４に示す取付基板２０が固定されるベース２１に、汎用のレセプタクル本体２２を複数（図示例では２個）横に並べて取り付けたものとなっている。取付基板２０の上端は、カウンター１の周部の下面側に配された枠材１２（図２及び図３参照）の下面に、取付基板２０の下端は幕板１３の背面側にビス止め固定される。
【００１６】
前面側が前面カバー２３で覆われるベース２１の背面側には、レセプタクル本体２２の背方を覆う背面カバー２４が取り付けられている。また、前面カバー２３の前面には凹所が設けられて、この凹所内にレセプタクル本体２２の前端部が位置するとともに、上記の開閉カバー２５が配されている。
【００１７】
開閉カバー２５は、その上端側の左右両端部が軸２６によってベース２１で保持されることで上下に回動自在となっており、下方に回動させた時、レセプタクル本体２２の前面を覆う。この時、開閉カバー２５は、前面カバー２３における左右両端の前方へ突出した突出部３１の前面と面一となる。開閉カバー２５の裏面側に左右方向に間隔をおいて複数本設けた縦リブ２７は、前面カバー２３の凹所底面に接することで、開閉カバー２５を補強して押された時の撓みを防止する。
【００１８】
なお、開閉カバー２５の前面及び前面カバー２３の突出部３１前面は、カウンター１の前面と同一面か、やや奥まった位置にあって、カウンター１前面よりも前方に突出しないものとなっている。
【００１９】
開閉カバー２５の両端部には、上記突出部３１内に位置するアーム２８が夫々固定されている。そして、ベース２１の左右両端部に夫々設けられた係止部３５と、アーム２８先端の係止部２９とに両端片を係止させたねじりコイルばね３６が上記突出部３１内に配されている。
【００２０】
このねじりコイルばね３６は、開閉カバー２５を閉じている時には、閉じた状態を保持するばね力を発揮し、開閉カバー２５を上方にほぼ９０°回動させてレセプタクル本体２５の前面を露出させた時には、この開いた状態を保持するばね力を発揮する。すなわち、開閉カバー２５を閉じているときには、図４に示すように、アーム２８の先端の係止部２９の位置が、軸２６と係止部３５とを結ぶ線よりも図中右方に位置するために、閉じる方向にばね力を発揮する。開閉カバー２５を開いた時には、図５に示すように、アーム２８の先端の係止部２９の位置が、軸２６と係止部３５とを結ぶ線よりも図中左方に位置するために、開く方向にばね力を発揮する。
【００２１】
つまり、開閉カバー２５は閉じてレセプタクル本体２２を覆うときと、開いてレセプタクル本体２２を露出させたときとで、ねじりコイルばね３６は開閉カバー２５の開閉に関してばね力の作用方向を反転させる。このために、開閉カバー２５は閉じた状態と開いた状態を共に安定して維持する。
【００２２】
本実施例で示したレセプタクル本体２２は、わずかに下向きとなるように設置しているが、この例に限定されるものではない。また、図示例では、前面カバー２３における上部片に開閉カバー２５の上端外周面に接する接触片３８を備えている。この接触片３８は、開閉カバー２５の前面に付着した水滴が、開閉カバー２５を開いた時にレセプタクル本体２２側に垂れ落ちるのを防ぐ。
【００２３】
図６及び図７に他の実施例を示す。基本的構成は上記の例と同じであるが、本例における開閉カバー２５は、軸２６が挿通された端部外面が、図７に示すように、複数の平坦面
４５，４６，４７を組み合わせた断面角型となっている。そして、前面カバー２３の上端部前面には、断面Ｌ型で前後方向にスライド自在なプレート４１を配しているとともに、プレート４１背面と前面カバー２３前面との間に、プレート４１を前方へと付勢する板ばね４２を配している。
【００２４】
開閉カバー２５を回動させる時、開閉カバー２５はばね付勢されたプレート４１を押し戻すことで回動するものであり、開閉カバー２５を閉じた時にはプレート４１が平坦面４５に接する。開閉カバー２５をほぼ９０°回動させて開いた時にはプレート４１が平坦面４６に接し、更に開閉カバー２５を上方に回動させると、プレート４１が平坦面４７に接する。このために、本例では、開閉カバー２５は上記３つの状態で保持される。
【００２５】
また、ここにおける前面カバー２３は、各レセプタクル本体２２の前面の上方及び左右に位置する庇４０を備えて、開閉カバー２５とベース２１との間から侵入した水がレセプタクル本体２２の前面に達するのを防いでいる。
【００２６】
レセプタクルユニット２の左右前面側に設けたピン５０は、レセプタクル本体２に電源プラグ３を差し込み接続した時、電源プラグ３から導出された電源コードを引っかけて止めておくためのものである。
【符号の説明】
【００２７】
１  カウンター
２  レセプタクルユニット
３  電源プラグ
２５  開閉カバー
３６  ねじりコイルばね
４２  板ばね
【図１】
2015196013.tif 000003
【図２】
2015196013.tif 000004
【図３】
2015196013.tif 000005
【図４】
2015196013.tif 000006
【図５】
2015196013.tif 000007
【図６】
2015196013.tif 000008
【図７】
2015196013.tif 000009